(57)【要約】【課題】縦材の縦材ガラス溝と排水ブロックとの間の水密性を向上できる建具を提供すること。【解決手段】建具１は、横材ガラス溝２２２ａを有する横材２２と、横材ガラス溝２２２ａに連続する縦材ガラス溝３１２ａを有する縦材２５と、縦材ガラス溝３１２ａの内部に収納される排水ブロック８１と、排水ブロック８１の外周面に設けられる独立気泡構造の発泡材８２と、を備える。また、建具１は、横材ガラス溝２２２ａを有する横材２２と、横材ガラス溝２２２ａに連続する縦材ガラス溝３１２ａを有する縦材２５と、を備え、縦材ガラス溝３１２ａは、内周面における横材２２と反対側の形状が、断面視で曲面状に形成される。【選択図】図４
2018003518.tif 000002
【特許請求の範囲】
【請求項１】
横材ガラス溝を有する横材と、
前記横材ガラス溝に連続する縦材ガラス溝を有する縦材と、
前記縦材ガラス溝の内部に収納される排水ブロックと、
前記排水ブロックの外周面に設けられる独立気泡構造の発泡材と、を備える建具。
【請求項２】
前記発泡材の外周面に設けられる第１水膨潤性止水材を備える請求項１に記載の建具。
【請求項３】
前記縦材ガラス溝は、内周面における前記横材と反対側の形状が、断面視で曲面状に形成される請求項１又は２に記載の建具。
【請求項４】
横材ガラス溝を有する横材と、
前記横材ガラス溝に連続する縦材ガラス溝を有する縦材と、を備える建具であって、
前記縦材ガラス溝は、内周面における前記横材と反対側の形状が、断面視で曲面状に形成される建具。
【請求項５】
前記縦材ガラス溝の内部に収納される排水ブロックと、
前記排水ブロックの外周面に設けられる独立気泡構造の発泡材と、を備える請求項４に記載の建具。
【請求項６】
前記発泡材の外周面に設けられる第１水膨潤性止水材を備える請求項５に記載の建具。
【請求項７】
前記排水ブロックの上面に設けられる第２水膨潤性止水材を備える請求項１〜３、５、６のいずれかに記載の建具。
【請求項８】
前記縦材ガラス溝におけるガラスが収納される位置に着脱可能に設けられる気密材ホルダ又は気密材を備える請求項１〜３、５〜７のいずれかに記載の建具。
【請求項９】
前記縦材における前記横材に取り付けられる部分の前記横材の上下方向の範囲内において、前記排水ブロックは、前記縦材ガラス溝に沿って複数設けられる請求項１〜３、５〜８のいずれかに記載の建具。
【請求項１０】
前記排水ブロックは、前記縦材ガラス溝側に突出する突起を有する請求項１〜３、５〜９のいずれかに記載の建具。
【発明の詳細な説明】
【技術分野】
【０００１】
本発明は、建具に関する。
【背景技術】
【０００２】
従来、横材ガラス溝を有する横材と、横材ガラス溝に連続する縦材ガラス溝を有する縦材と、縦材ガラス溝の内部に収納される排水ブロックと、を備える建具が知られている（例えば、特許文献１参照）。特許文献１に記載の建具は、縦材の縦材ガラス溝に浸入した雨水を、排水ブロックを介して、横材の横材ガラス溝に流して排水するように構成されている。
【０００３】
特許文献１に記載の建具において、縦材の縦材ガラス溝と排水ブロックとの間には、湿式のシール材が充填されている。湿式のシール材は、建具の施工時において液体の状態で充填されて、乾燥させることで、縦材の縦材ガラス溝と排水ブロックとの間を塞ぐ。これにより、縦材の縦材ガラス溝と排水ブロックとの間の水密性を向上させている。
【先行技術文献】
【特許文献】
【０００４】
【特許文献１】特開平７−２６９０００号公報
【発明の概要】
【発明が解決しようとする課題】
【０００５】
縦材の縦材ガラス溝と排水ブロックとの間に湿式のシール材を充填する構造においては、建具を施工する現場などにおいて、作業者が、縦材の縦材ガラス溝と排水ブロックとの間に湿式のシール材を充填している。このような場合に、作業者の作業のばらつきによって湿式のシール材が充填されない部分が生じる可能性がある。そのため、湿式のシール材が充填されない部分がある場合には、湿式のシール材が充填されていない部分からの漏水が懸念される。
【０００６】
本発明は、横材ガラス溝を有する横材と、横材ガラス溝に連続する縦材ガラス溝を有する縦材と、縦材ガラス溝の内部に収納される排水ブロックと、を備え、縦材の縦材ガラス溝と排水ブロックとの間の水密性を向上できる建具を提供することを目的とする。
【課題を解決するための手段】
【０００７】
本発明は、横材ガラス溝（例えば、後述のガラス溝２１２ａ，２２２ａ，２６３ａ）を有する横材（例えば、後述の上枠２１，巾木部２２，無目２６）と、前記横材ガラス溝に連続する縦材ガラス溝（例えば、後述のガラス溝２３２ａ，３１２ａ，３２２ａ）を有する縦材（例えば、後述の縦枠２３，２４，方立２５）と、前記縦材ガラス溝の内部に収納される排水ブロック（例えば、後述の排水ブロック８１）と、前記排水ブロックの外周面に設けられる独立気泡構造の発泡材（例えば、後述の発泡材８２）と、を備える建具（例えば、後述のサッシユニット１）に関する。
【０００８】
また、前記発泡材の外周面に設けられる第１水膨潤性止水材（例えば、後述の発泡材８２）を備えることが好ましい。
【０００９】
また、前記縦材ガラス溝は、内周面における前記横材と反対側の形状が、断面視で曲面状に形成されることが好ましい。
【００１０】
また、本発明は、横材ガラス溝を有する横材と、前記横材ガラス溝に連続する縦材ガラス溝を有する縦材と、を備える建具であって、前記縦材ガラス溝は、内周面における前記横材と反対側の形状が、断面視で曲面状に形成される建具に関する。
【００１１】
また、前記縦材ガラス溝の内部に収納される排水ブロックと、前記排水ブロックの外周面に設けられる独立気泡構造の発泡材と、を備えることが好ましい。
【００１２】
また、前記発泡材の外周面に設けられる第１水膨潤性止水材を備えることが好ましい。
【００１３】
また、前記排水ブロックの上面に設けられる第２水膨潤性止水材（例えば、後述の第２水膨潤性止水材８４）を備えることが好ましい。
【００１４】
また、前記縦材ガラス溝におけるガラスが収納される位置に着脱可能に設けられる気密材ホルダ（例えば、後述の気密材ホルダ６１２ｄ，６２２ｄ，６２３ｄ）又は気密材（例えば、後述の気密材６２２ｅ，６２３ｅ）を備えることが好ましい。
【００１５】
また、前記縦材における前記横材に取り付けられる部分の前記横材の上下方向の範囲内において、前記排水ブロックは、前記縦材ガラス溝に沿って複数設けられることが好ましい。
【００１６】
また、前記排水ブロックは、前記縦材ガラス溝側に突出する突起（例えば、後述の突起８１２）を有することが好ましい。
【発明の効果】
【００１７】
本発明によれば、横材ガラス溝を有する横材と、横材ガラス溝に連続する縦材ガラス溝を有する縦材と、縦材ガラス溝の内部に収納される排水ブロックと、を備え、縦材の縦材ガラス溝と排水ブロックとの間の水密性を向上できる建具を提供できる。
【図面の簡単な説明】
【００１８】
【図１】本発明の一実施形態に係るサッシユニットを屋外側から見た姿図である。
【図２】本実施形態のサッシユニットの縦断面図であって、図１のＡ−Ａ線断面図である。
【図３】本実施形態のサッシユニットの横断面図であって、図１のＢ−Ｂ線断面図である。
【図４】本実施形態の排水構造体が、方立（縦材）のガラス溝に収納された状態を示す斜視図である。
【図５】方立（縦材）のガラス溝に排水構造体を収納する場合において、方立（縦材）、排水構造体及び巾木部（横材）を分解した状態を示す分解斜視図である。
【図６】方立（縦材）のガラス溝に収納された排水構造体を上方から視た図である。
【図７】方立（縦材）のガラス溝に排水構造体を収納する場合において、方立（縦材）、排水構造体及び巾木部（横材）を分解した状態を上方から視た図である。
【図８】本実施形態の排水構造体を示す図であって、（ａ）は平面図であり、（ｂ）は基端面部側から見た側面図である。
【図９】方立（縦材）のガラス溝に収納された排水構造体の縦断面図である。
【図１０】方立（縦材）のガラス溝にカバー部材を取り付けた状態を示す断面図である。
【図１１】変形形態を説明する図であって、気密材を方立（縦材）のガラス溝に貼り付けた状態を示す断面図である。
【発明を実施するための形態】
【００１９】
以下、本発明の一実施形態について、図面を参照しながら説明する。なお、本明細書において、「見付方向」とは、建物に形成された開口に納められたサッシユニットの横枠（上枠、無目、巾木部等）の長手方向（即ち、ガラスの面内方向）を意味し、「見込方向」とは、屋内外方向（即ち、奥行き方向）を意味する。
【００２０】
図１は、本発明の一実施形態に係るサッシユニット１を屋外側から見た姿図である。図２は、本実施形態のサッシユニット１の縦断面図であって、図１のＡ−Ａ線断面図である。図３は、本実施形態のサッシユニット１の横断面図であって、図１のＢ−Ｂ線断面図である。なお、図２において、紙面左側が屋外側であり、右側が屋内側である。また、図３において紙面奥側が屋内側であり、手前側が屋外側である。
【００２１】
図１に示すように、建具としてのサッシユニット１は、例えば、店舗等の建築物に用いられるものであり、建築物に形成された開口に取り付けられる枠体２を備える枠ユニットである。
【００２２】
枠体２は、横材としての上枠２１と、横材としての巾木部（下枠）２２と、左右両側の縦材としての縦枠２３，２４と、縦材としての方立２５と、横材としての無目２６と、を備える。枠体２は、全体としては矩形に枠組みされている。上枠２１、巾木部２２、縦枠２３，２４、方立２５及び無目２６は、例えば、アルミニウムを押し出し成型することによって形成することができる。枠体２の内側の空間は、方立２５によって見付方向に複数の開口部に区画されるとともに、無目２６によって複数の開口部のそれぞれが上下方向に区画される。区画された上段の開口部にはＦＩＸ窓６１が納められ、下段の開口部にはＦＩＸ窓６２が納められる。
【００２３】
図２に示すように、上枠２１は、屋内側に配置される上方に開放された断面略Ｃ字状である上枠本体部２１１と、上枠本体部２１１から屋外側に延設され下方側から上方側に窪む凹状部分を有する上枠ガラス保持部２１２と、を備える。
【００２４】
上枠本体部２１１は、内側の下部に形成されかつ上枠２１の長手方向に延びる溝部２１１ａと、内側の上部に形成されかつ上枠２１の長手方向に延びる一対の爪部２１１ｂ、２１１ｂと、を備える。
溝部２１１ａは、上枠本体部２１１の内側の下部に配置される。溝部２１１ａは、見付方向の縦枠２３，２４側から縦枠２３，２４を連結するため、又は、方立２５側から方立２５を連結するためのビス（図示せず）が差し込まれるネジ受けとなる。
一対の爪部２１１ｂ，２１１ｂは、上枠本体部２１１の上部の開放端のそれぞれにおいて内側に突出して折れ曲がる。一対の爪部２１１ｂ，２１１ｂには、アンカー２１３が差し込まれる。一対の爪部２１１ｂ，２１１ｂに差し込まれたアンカー２１３は、ビス等の固定具により建物側に締結される。これにより、上枠２１は、建物側に支持される。
【００２５】
上枠ガラス保持部２１２には、ＦＩＸ窓６１を構成するガラス６１ａの上端部を保持するガラス溝２１２ａが形成される。また、上枠ガラス保持部２１２は、内側において見込方向の略中央を上下方向につなぐ部分に配置されかつ上枠２１の長手方向に延びる溝部２１２ｂを有する。溝部２１２ｂは、後述する排水構造体８を縦枠２３，２４、方立２５のガラス溝に固定する際に、縦枠２３，２４、方立２５と、排水構造体８と、上枠２１と、を連結するためのビス（図示せず）が差し込まれるネジ受けとなる。
【００２６】
無目２６は、屋内側に配置されかつ中空部を備えるホロー構造である無目本体部２６１と、無目本体部２６１から屋外側に延設される無目ガラス保持部２６２と、無目ガラス保持部２６２に係止されるガラス保持部材２６３と、を備える。
【００２７】
無目本体部２６１は、内側に形成されかつ無目２６の長手方向に延びる溝部２６１ａ，２６１ｂと、外側に形成されかつ無目２６の長手方向に延びる溝部２６１ｃと、を備える。
溝部２６１ａは、無目本体部２６１の内側上部の屋内側の角に配置される。溝部２６１ｂは、内側下部の屋内側の角に配置される。溝部２６１ａ，２６１ｂは、いずれも、見付方向の縦枠２３，２４側から縦枠２３，２４を連結するため、又は、方立２５側から方立２５を連結するためのビス（図示せず）が差し込まれるネジ受けとなる。
溝部２６１ｃは、無目本体部２６１の外側下部の屋外側に配置される。溝部２６１ｃには、ＦＩＸ窓６２を構成するガラス６２ａの上端部の屋内側を保持して止水する止水部材６２ｋが差し込まれる。
【００２８】
無目ガラス保持部２６２には、ＦＩＸ窓６２を構成するガラス６２ａの上端部を保持するガラス溝２６２ａが形成される。ガラス溝２６２ａは、上部の下方側に形成されかつ無目２６の長手方向に延びる溝部２６２ｂを備える。溝部２６２ｂは、後述する排水構造体８を縦枠２３，２４、方立２５のガラス溝に固定する際に、縦枠２３，２４、方立２５と、排水構造体８と、無目２６と、を連結するためのビス（図示せず）が差し込まれるネジ受けとなる。
無目ガラス保持部２６２の屋外側の上端には、ガラス保持部材２６３を嵌合する嵌合部２６２ｃが形成される。
【００２９】
ガラス保持部材２６３は、嵌合部２６２ｃに嵌合される。無目本体部２６１及びガラス保持部材２６３によって、ガラス６１ａの下端部を保持するガラス溝２６３ａが形成される。
【００３０】
ガラス６１ａは単板ガラスであり、上枠２１と無目２６との間で保持される。ガラス６１ａの保持について説明する。ガラス６１ａは、ガラス溝２６３ａの内部に配置される支持部材６１ｂによって下から支持される。ガラス６１ａの下端部は、ガラス溝２６３ａ内において、バックアップ材６１ｃ，６１ｃによって挟まれる。更にバックアップ材６１ｃ，６１ｃの上方には、シール材６１ｄ，６１ｄが塗工される。ガラス６１ａの上端部は、ガラス溝２１２ａ内において、バックアップ材６１ｆ，６１ｆによって挟まれる。更にバックアップ材６１ｆ，６１ｆの下方には、シール材６１ｅ，６１ｅが塗工される。
【００３１】
巾木部２２は、中空部を備えるホロー構造である巾木本体部２２１と、巾木本体部２２１に係止されるガラス保持部材２２２と、巾木本体部２２１の屋外側の下端に形成される枠部２２３と、を備える。
【００３２】
巾木本体部２２１の内側には、巾木部２２の長手方向に延びる溝部２２１ｂ，２２１ｃ，２２１ｄ，２２１ｅが形成される。溝部２２１ｂは、内側であって屋外側の上部に配置される。溝部２２１ｃは、巾木本体部２２１の内側上部の屋内側の角に配置される。溝部２２１ｄは、巾木本体部２２１の内側下部の屋内側の角に配置される。溝部２２１ｅは、内側であって屋外側の下部に配置される。溝部２２１ｃ，２２１ｄは、いずれも、見付方向の縦枠２３，２４側から縦枠２３，２４を連結するため、又は、方立２５側から方立２５を連結するためのビス（図示せず）が差し込まれるネジ受けとなる。
溝部２２１ｂ，２２１ｅは、いずれも、後述する排水構造体８を縦枠２３，２４、方立２５のガラス溝に固定する際に、縦枠２３，２４、方立２５と、排水構造体８と、巾木部２２と、を連結するためのビス７３（図９参照）が差し込まれるネジ受けとなる。
巾木本体部２２１の屋外側の上端には、ガラス保持部材２２２を嵌合する嵌合部２２１ａが形成される。
【００３３】
ガラス保持部材２２２は、嵌合部２２１ａに嵌合される。巾木本体部２２１及びガラス保持部材２２２によって、ガラス６２ａの下端部を保持するガラス溝２２２ａが形成される。
【００３４】
枠部２２３は、下方に開放された断面略Ｃ字状に形成される。枠部２２３には、その下部の開放端のそれぞれにおいて一対の係合端２２３ａ，２２３ａが形成される。一対の係合端２２３ａ，２２３ａには、アンカー（図示せず）が差し込まれる。一対の係合端２２３ａ，２２３ａに差し込まれたアンカー（図示せず）がビス等の固定具により建物側に締結される。これにより、巾木部２２は、建物側に支持される。
【００３５】
ガラス６２ａは単板ガラスであり、無目２６と巾木部２２の間で保持される。ガラス６２ａの保持について説明する。ガラス６２ａは、ガラス溝２２２ａの内部に配置される支持部材６２ｆによって下から支持される。ガラス６２ａの下端部は、ガラス溝２２２ａ内において、バックアップ材６２ｇ，６２ｇによって挟まれる。更にバックアップ材６２ｇ，６２ｇの上方には、シール材６２ｈ，６２ｈが塗工される。ガラス６２ａの上端部は、ガラス溝２６２ａ内において、屋外側に配置されるバックアップ材６２ｊ及び屋内側に配置される止水部材６２ｋによって挟まれる。更にバックアップ材６２ｊの下方には、シール材６２ｉが塗工される。
【００３６】
次に、縦枠２３，２４及び方立２５について説明する。図１に示すように、縦枠２３，２４及び方立２５は、ＦＩＸ窓６１及びＦＩＸ窓６２の縦材を構成する。
本実施形態では、サッシユニット１が見付方向の中央に対して左右対称の構造である。そのため、縦枠２３，２４及び方立２５において、本実施形態の説明では、屋外側から見て、サッシユニット１の左側の縦枠２３及び方立２５について説明し、屋外側から見て、サッシユニット１の右側の方立２５及び縦枠２４の説明を省略する。サッシユニット１の右側の方立２５及び縦枠２４の説明は、サッシユニット１の左側の方立２５及び縦枠２３の説明を援用できる。
【００３７】
図３に示すように、縦枠２３は、屋内側に配置される左側が開放された断面略Ｃ字状である縦枠本体部２３１と、縦枠本体部２３１から屋外側に延設され右側から左側に窪む凹状部分を有する縦枠ガラス保持部２３２と、を備える。
【００３８】
縦枠本体部２３１は、内側の左側に形成されかつ縦枠２３の長手方向に延びる一対の爪部２３１ａ、２３１ａを備える。一対の爪部２３１ａ，２３１ａは、縦枠本体部２３１の左側の開放端のそれぞれにおいて内側に突出して折れ曲がる。一対の爪部２３１ａ，２３１ａには、アンカー２３３が差し込まれる。一対の爪部２３１ａ，２３１ａに差し込まれたアンカー２３３は、ビス等の固定具により建物側に締結される。これにより、縦枠２３は、建物側に支持される。
【００３９】
縦枠ガラス保持部２３２の凹状部分の内周面には、ＦＩＸ窓６２を構成するガラス６２ａの左側の端部を保持するガラス溝２３２ａが形成される。縦材２３のガラス溝２３２ａは、上枠２１、巾木部２２、無目２６のガラス溝２１２ａ、２６３ａ、２６２ａ、２２２ａが連続する。ガラス溝２３２ａの内部には、巾木部２２（横材）に縦枠２３が取り付けられる部分において、巾木部２２の側方において、後述する排水構造体８が収納される。
【００４０】
方立２５は、図３に示すように、屋外側から見て、右側に配置される第１方立部材３１と、左側に配置される第２方立部材３２と、を備える。
【００４１】
第１方立部材３１は、左側が開放された断面略Ｌ字状の第１方立本体部３１１と、第１方立本体部３１１の屋外側に延設されかつガラス６１ａの左側の側端部が挿入されて保持されるガラス溝３１２ａが形成される第１方立保持部３１２と、を備える。第１方立保持部３１２のガラス溝３１２ａには、巾木部２２のガラス溝２２２ａが連続する。ガラス溝３１２ａの内部には、巾木部２２（横材）に方立２５が取り付けられる部分において、後述する排水構造体８が収納される。
【００４２】
第１方立本体部３１１は、見付方向に延在する第１方立本体見付部３１１ａと、第１方立本体見付部３１１ａの右側の端部から見込方向の屋外側に延在する第１方立本体見込部３１１ｃと、を備える。第１方立本体見付部３１１ａの左側の端部には、係合部３１１ｂが形成される。
【００４３】
第１方立保持部３１２は、左側から右側に窪む凹状に形成され且つ凹状の部分の内周面がガラス溝３１２ａとして形成される曲面状部３１２ｂと、曲面状部３１２ｂの左側の外側から突出する一対の突出部３１２ｃ、３１２ｃと、曲面状部３１２ｂの屋外側の端部から見込方向の屋外側に延出する第１方立保持見込部３１２ｄと、第１方立保持見込部３１２ｄの屋外側の端部から見付方向の左側に延在する第１方立保持見付部３１２ｅと、を備える。第１方立保持見付部３１２ｅの左側の端部には、係合部３１２ｆが形成される。
【００４４】
第２方立部材３２は、見込方向に延在する第２方立本体部３２１と、第２方立本体部３２１の屋外側に設けられ且つガラス６２ａの右側の側端部が挿入されて保持されるガラス溝３２２ａが形成される第２方立保持部３２２と、を備える。第２方立保持部３２２のガラス溝３２２ａには、巾木部２２のガラス溝２２２ａが連続する。ガラス溝３２２ａの内部には、巾木部２２（横材）に方立２５が取り付けられる部分において、後述する排水構造体８が収納される。
【００４５】
第２方立本体部３２１の見込方向の屋内側の端部には、係合部３２１ａが形成される。係合部３２１ａは、第１方立本体部３１１の係合部３１１ｂに係合する。
【００４６】
第２方立保持部３２２は、右側から左側に窪む凹状に形成され且つ凹状の部分の内周面がガラス溝３２２ａとして形成される曲面状部３２２ｂと、曲面状部３２２ｂの右側の外側から突出する一対の突出部３２２ｃ、３２２ｃと、曲面状部３２２ｂの屋外側の端部から見込方向の屋外側に延出する第２方立保持見込部３２２ｄと、を備える。第２方立保持見込部３２２ｄの屋外側の端部には、係合部３２２ｅが形成される。突出部３２２ｃ、３２２ｃは、見込方向において、第１方立保持部３１２の一対の突出部３１２ｃ、３１２ｃの内側に配置される。係合部３２２ｅは、第１方立保持部３１２の係合部３１２ｆに係合する。
【００４７】
ＦＩＸ窓６２（ガラス６２ａ）は、図１に示すように、サッシユニット１における屋外側から見て見付方向の左側において、縦枠２３と方立２５の第２方立部材３２との間で保持される。また、サッシユニット１における屋外側から見て見付方向の中央において、隣り合う２つの方立２５，２５の間で保持される。また、ＦＩＸ窓６２（ガラス６２ａ）は、サッシユニット１における屋外側から見て見付方向の右側において、方立２５の第１方立部材３１と縦枠２４との間で保持される。
【００４８】
ガラス６２ａの保持について説明する。ここでは、サッシユニット１における屋外側から見て見付方向の左側及び中央におけるガラス６２ａの保持について説明する。なお、サッシユニット１における屋外側から見て見付方向の右側の構造は、サッシユニット１における屋外側から見て見付方向の左側の構造と左右対称の構造であるため、説明を省略する。
【００４９】
サッシユニット１における屋外側から見て見付方向の左側で縦枠２３と方立２５の第２方立部材３２との間で保持されるガラス６２ａにおいて、図３に示すように、ガラス６２ａの屋外側から見て左側の端部は、ガラス溝２３２ａ内において、屋外側に配置されるバックアップ材６２１ａ及び屋内側に配置される気密材６２１ｃによって挟まれる。更にバックアップ材６２１ａの右側には、シール材６２１ｂが塗工される。
【００５０】
サッシユニット１における屋外側から見て見付方向の左側で縦枠２３と方立２５の第２方立部材３２との間で保持されるガラス６２ａにおいて、ガラス６２ａの屋外側から見て右側の端部は、ガラス溝３２２ａ内において、屋外側に配置されるバックアップ材６２２ａ及び屋内側に配置される気密材６２２ｃによって挟まれる。更にバックアップ材６２２ａの左側には、シール材６２２ｂが塗工される。
【００５１】
気密材６２１ｃ，６２２ｃは、気密材ホルダ６２１ｄ，６２２ｄに取り付けられる。本実施形態においては、気密材ホルダ６２１ｄ，６２２ｄは、上下方向に延びて形成される。気密材ホルダ６２１ｄ，６２２ｄは、着脱可能に設けられ、排水構造体８が配置される部分を避けて、縦枠２３のガラス溝２３２ａ又は第２方立部材３２のガラス溝３２２ａにおけるガラス６２ａが収納される位置に配置される。気密材ホルダ６２１ｄ，６２２ｄは、ガラス溝２３２ａ，３２２ａの屋内側の見付方向に延びる見付面３０ｂ（図３、図７参照）において上下方向に沿って貼り付けられる。気密材ホルダ６２１ｄ，６２２ｄは、ガラス６２ａをガラス溝２３２ａ，３２２ａに組み込む前に、ガラス溝２３２ａ，３２２ａの屋外側の見付面３０ｂに貼り付けられて固定される。
【００５２】
方立２５を挟んで隣り合う一対のガラス６２ａ，６２ａは、それぞれ、ガラス溝３１２ａ，３２２ａに対向する側端部が挿入されて保持される。ガラス溝３１２ａとガラス溝３２２ａとでは、ガラス溝３２２ａの方が深い溝に形成される。
【００５３】
サッシユニット１における屋外側から見て隣合う２つの方立２５，２５の間で保持されるガラス６２ａにおいて、ガラス６２ａの屋外側から見て左側の端部は、ガラス溝３１２ａ内において、屋外側に配置されるバックアップ材６２３ａ及び屋内側に配置される気密材６２３ｃによって挟まれる。更にバックアップ材６２３ａの右側には、シール材６２３ｂが塗工される。
気密材６２３ｃは、気密材ホルダ６２３ｄに取り付けられる。気密材ホルダ６２３ｄの構成は、前述の気密材ホルダ６２１ｄ，６２２ｄと同様の構成を有するため、その説明を省略する。
【００５４】
第１方立部材３１の曲面状部３１２ｂと第２方立部材３２の曲面状部３２２ｂとは、互いが対向する凹状の最も奥側の部分同士が、締結部材としてのビス７１によって連結されている。本実施形態では、ビス７１は、方立２５の長手方向に所定の間隔をあけて複数締結されている。本実施形態の第１方立本体部３１１及び第２方立本体部３２１は、組み合わされた状態で断面長方形の筒状に形成される。
【００５５】
以上のように構成される縦枠２３及び方立２５には、前述した巾木部２２以外に、上枠２１及び無目２６にも連結されている。なお、縦枠２３及び方立２５と、上枠２１又は無目２６との連結の構成は、本実施形態における縦枠２３及び方立２５と、巾木部２２との連結の構成と同様であるため、説明を省略する。
【００５６】
次に、排水構造体８について説明する。なお、図１においては、排水構造体８は、縦枠２３，２４、方立２５のガラス溝２３２ａ、３１２ａ、３２２ａ（図２及び図３参照）の内部に収納されているため、実際には、外部からは視認できない。ただし、図１においては、排水構造体８の位置を説明する便宜上、排水構造体８を実線で示している。
【００５７】
図４は、本実施形態の排水構造体８が、方立２５のガラス溝３１２ａに収納された状態を示す斜視図である。図５は、方立２５のガラス溝３１２ａに排水構造体８を収納する場合において、方立２５、排水構造体８及び巾木部２２を分解した状態を示す分解斜視図である。図６は、方立２５のガラス溝３１２ａに収納された排水構造体８を上方から視た図である。図７は、方立２５のガラス溝３１２ａに排水構造体８を収納する場合において、方立２５、排水構造体８及び巾木部２２を分解した状態を上方から視た図である。図８は、本実施形態の排水構造体８を示す図であって、（ａ）は平面図であり、（ｂ）は基端面部８１ａ側から見た側面図である。図９は、方立２５のガラス溝３１２ａに収納された排水構造体８の縦断面図である。図１０は、方立２５のガラス溝３１２ａにカバー部材９を取り付けた状態を示す断面図である。
【００５８】
排水構造体８は、図１及び図２に示すように、縦枠２３，２４、方立２５のガラス溝２３２ａ、３１２ａ、３２２ａ（図３参照）の内部に収納されている。図２及び図３に示すように、縦枠２３，２４、方立２５のガラス溝２３２ａ、３１２ａ、３２２ａは、上枠２１、巾木部２２、無目２６とガラス溝２１２ａ、２６３ａ、２２２ａに連続している。排水構造体８は、縦枠２３，２４、方立２５のガラス溝２３２ａ、３１２ａ、３２２ａに浸入した水を、止水して、側方に連続する上枠２１、巾木部２２、無目２６のガラス溝２１２ａ、２６３ａ、２２２ａへ流すように構成される。
【００５９】
本実施形態においては、排水構造体８（排水ブロック８１）は、図１及び図２に示すように、縦枠２３，２４、方立２５における上枠２１及び無目２６に取り付けられる部分において、上枠２１及び無目２６の上下方向の幅の範囲内において、それぞれ、縦枠２３，２４、方立２５のガラス溝２３２ａ，３１２ａ，３２２ａに沿って、１つ配置されている。
また、本実施形態においては、排水構造体８（排水ブロック８１）は、図１及び図２に示すように、縦枠２３，２４、方立２５における巾木部２２に取り付けられる部分において、巾木部２２の上下方向の幅の範囲内において、縦枠２３，２４、方立２５のガラス溝２３２ａ，３１２ａ，３２２ａに沿って、２つ配置されている。巾木部２２は、上枠２１及び無目２６よりも、上下方向の幅の長さが大きい。
【００６０】
本実施形態においては、図４及び図５に示すように、複数の排水構造体８のうち、横材としての巾木部２２のガラス溝２２２ａに連続する縦材としての方立２５の第１方立部材３１のガラス溝３１２ａの内部に収容される排水構造体８について説明する。
【００６１】
なお、本実施形態においては、複数の排水構造体８について、排水ブロック８１の見付方向の長さや見付方向の向きが異なる形状（左右が逆の形状）のものもある。しかし、排水構造体８の基本的な構造及びガラス溝への取り付けの構成は同じである。そのため、複数の排水構造体８の構造及びガラス溝への取り付けの構成については、本実施形態で説明する排水構造体８の説明を適用できる。
【００６２】
まず、排水構造体８が配置される第１方立部材３１のガラス溝３１２ａの内周面の形状について説明する。第１方立部材３１のガラス溝３１２ａの内周面の形状は、図６及び図７に示すように、ガラス溝３１２ａにおける見込方向の中央において見付方向に延びる縦断面である仮想平面Ｍに対して、対称の形状である。
【００６３】
第１方立部材３１のガラス溝３１２ａの内周面の形状は、図７に示すように、簡単な形状に形成される。ガラス溝３１２ａの内周面の形状を簡単な形状にする理由は、第１方立部材３１のガラス溝３１２ａに収納する排水構造体８の形状を簡単な形状にすることで、複雑な形状のガラス溝を止水するよりも、第１方立部材３１のガラス溝３１２ａと排水構造体８との間の水密性を向上させるためである。
【００６４】
具体的には、第１方立部材３１のガラス溝３１２ａの内周面の形状は、図７に示すように、断面視で（水平面（方立２５が延びる方向に直交する方向の平面）で切断した断面をガラス溝３１２ａが延びる方向に視た場合に）、巾木部２２と見付方向の反対側において凹状となる曲面状に形成される。言い換えると、第１方立部材３１のガラス溝３１２ａの内周面の形状は、排水構造体８が収納される場合における排水構造体８のガラス溝３１２ａへの挿入方向の排水構造体８の先端側（巾木部２２と見付方向の反対側）が配置される側が凹となるアールを有するアール形状の曲面状である。
【００６５】
第１方立部材３１のガラス溝３１２ａの内周面は、見込方向に延びる見込面３０ａと、見付方向に延びる一対の見付面３０ｂ，３０ｂと、見込面３０ａの見込方向の両端部と見付面３０ｂの一端部とを突状係止部３０ｄ（後述）を介してつなぐ一対の曲面３０ｃと、を有する。見付面３０ｂ、突状係止部３０ｄ（後述）、曲面３０ｃ、見付面３０ｂ、曲面３０ｃ、突状係止部３０ｄ（後述）、見付面３０ｂをこの順に通るガラス溝３１２ａの内周面の形状は、全体として、Ｕ字形状の曲面状に形成される。
【００６６】
また、第１方立部材３１のガラス溝３１２ａの内周面には、ガラス溝３１２ａが延びる方向に沿って上下方向に延びる一対の突状係止部３０ｄ，３０ｄが形成されている。一対の突状係止部３０ｄ，３０ｄは、ガラス溝３１２ａの見付面３０ｂと曲面３０ｃとの間においてガラス溝３１２ａの内部側に突出し且つ第１方立部材３１のガラス溝３１２ａに沿って上下方向に延びる。一対の突状係止部３０ｄ，３０ｄには、第１方立部材３１のガラス溝３１２ａにガラス６２ａを取り付けない場合に、図１０に示すように、ガラス溝３１２ａを塞ぐカバー部材９が取り付けられる。
【００６７】
カバー部材９は、図１０に示すように、カバー部材９における見込方向の中央において見付方向に延びる縦断面である仮想平面Ｍに対して、対称の形状に形成される。カバー部材９は、第１方立部材３１のガラス溝３１２ａを塞ぐ閉止面板９１と、閉止面板９１の見付方向の両端部それぞれから延びると共に第１方立部材３１のガラス溝３１２ａの見付面３０ｂに沿って配置される一対の側面板９２，９２と、側面板９２それぞれにおける閉止面板９１とは反対側の端部に形成される突起９３と、を有する。
【００６８】
これにより、第１方立部材３１のガラス溝３１２ａにガラス６２ａを取り付けない場合には、カバー部材９の一対の突起９３，９３を、カバー部材９を第１方立部材３１のガラス溝３１２ａの一対の突状係止部３０ｄ，３０ｄに係止させることで、カバー部材９を第１方立部材３１のガラス溝３１２ａに取り付けて、第１方立部材３１のガラス溝３１２ａを塞ぐことができる。
【００６９】
一対の突状係止部３０ｄ，３０ｄは、図７に示すように、第１方立部材３１のガラス溝３１２ａの内周面から僅かに突出する程度であるため、ガラス溝３１２ａの見付面３０ｂと曲面３０ｃとの間に配置されていても、第１方立部材３１のガラス溝３１２ａの内周面が曲面状である構成は確保される。また、一対の突状係止部３０ｄ，３０ｄは、アールを付けて緩やかに突出するように形成されており、第１方立部材３１のガラス溝３１２ａの内周面の簡単な曲面状の形状を妨げない形状に形成される。
【００７０】
以上のように、第１方立部材３１のガラス溝３１２ａの内周面の形状を簡単な形状とすることで、第１方立部材３１のガラス溝３１２ａにおいて止水する排水構造体８の形状を簡単な形状にできる。そのため、複雑な形状のガラス溝を止水よりも、第１方立部材３１のガラス溝３１２ａと排水構造体８との間の水密性を向上できる。
【００７１】
排水構造体８は、第１方立部材３１のガラス溝３１２ａに収納される。排水構造体８は、図８（ａ）及び図８（ｂ）に示すように、排水ブロック８１と、発泡材８２と、第１水膨潤性止水材８３と、第２水膨潤性止水材８４と、を備える。排水ブロックは、樹脂製の部材であり、ブロック状に形成される。排水ブロック８１は、ブロック本体８１１と、一対の突起８１２，８１２と、を有する。
【００７２】
ブロック本体８１１は、一定の厚さを有する平板状のブロック状に形成される。ブロック本体８１１は、排水構造体８が第１方立部材３１のガラス溝３１２ａに収納された場合に、第１方立部材３１のガラス溝３１２ａの内周面に対応する外周面の形状が、前述の第１方立部材３１のガラス溝３１２ａの内周面の形状に対応した形状に形成される。
【００７３】
ブロック本体８１１は、図９に示すように、排水構造体８が第１方立部材３１のガラス溝３１２ａに取り付けられた状態において、上面が、巾木部２２のガラス溝２２２ａの底面（上方側を向く面）と同一平面上に位置するように配置される。
【００７４】
ブロック本体８１１の外周面の形状は、図６〜図８（ｂ）に示すように、ブロック本体８１１における見込方向の中央において見付方向に延びる縦断面である仮想平面Ｍに対して、対称の形状である。
【００７５】
ブロック本体８１１の外周面の形状は、図７に示すように、第１方立部材３１のガラス溝３１２ａの内周面の形状に対応した簡単な形状に形成される。具体的には、ブロック本体８１１の外周面の形状は、断面視で（水平面（方立２５が延びる方向に直交する方向の平面）で切断した断面をガラス溝３１２ａが延びる方向に視た場合に）、外周面における排水構造体８が収納される場合における排水構造体８のガラス溝３１２ａへの挿入方向の先端側（巾木部２２と見付方向の反対側）が凸となるアールを有するアール形状の曲面状である。
【００７６】
ブロック本体８１１の外周面は、図８に示すように、見込方向に延びる基端面部８１ａと、ブロック本体８１１における基端面部８１ａと反対側において見込方向に延びる先端面部８１ｃと、見付方向に延びる一対の側面部８１ｂ，８１ｂと、一対の側面部８１ｂ，８１ｂと先端面部８１ｃを凹部８１ｅ（後述）を介してつなぐ一対のブロック曲面８１ｄ，８１ｄと、を有する。側面部８１ｂ、凹部８１ｅ（後述）、ブロック曲面８１ｄ、先端面部８１ｃ、ブロック曲面８１ｄ、凹部８１ｅ（後述）、側面部８１ｂをこの順に通るブロック本体８１１の外周面の形状は、全体として、Ｕ字形状の曲面状に形成される。
【００７７】
ブロック本体８１１の外周面には、図６及び図７に示すように、一対の凹部８１ｅ，８１ｅが形成されている。一対の凹部８１ｅ，８１ｅは、ブロック本体８１１の外周面における側面部８１ｂとブロック曲面８１ｄとの間において外周面から窪んで形成され且つ厚さ方向に延びる。一対の凹部８１ｅ，８１ｅは、排水構造体８が第１方立部材３１に収納される場合において、第１方立部材３１のガラス溝３１２ａの一対の突状係止部３０ｄ，３０ｄを避ける形状に形成されている。
【００７８】
一対の凹部８１ｅ，８１ｅは、ブロック本体８１１の外周面から僅かに窪む程度であるため、側面部８１ｂとブロック曲面８１ｄとの間に配置されていても、ブロック本体８１１の外周面が曲面状である構成は確保される。また、一対の凹部８１ｅ，８１ｅは、アールを付けて緩やかに窪むように形成されており、ブロック本体８１１の外周面の簡単な曲面状の形状を妨げない形状に形成される。
【００７９】
基端面部８１ａは、図６に示すように、排水構造体８がガラス溝３１２ａに収納された場合に、第１方立部材３１の上下方向に延びる内側面３１ａと同一平面状に位置する。一対の側面部８１ｂ、８１ｂは、ガラス溝３１２ａの内周面の一対の見付面３０ｂ，３０ｂに対向する。先端面部８１ｃは、ガラス溝３１２ａの内周面の見込面３０ａに対向する。一対のブロック曲面８１ｄ，８１ｄは、ガラス溝３１２ａの内周面の一対の曲面３０ｃ，３０ｃに対向する。一対の凹部８１ｅ，８１ｅは、ガラス溝３１２ａの内周面の一対の突状係止部３０ｄ，３０ｄに対向する。
【００８０】
以上のように、ブロック本体８１１の形状を、第１方立部材３１のガラス溝３１２ａの内周面の形状に対応させて、簡単な形状にできる。そのため、簡単な形状のガラス溝３１２ａを、簡単な形状のブロック本体８１１を有する排水構造体８で止水できる。これにより、複雑な形状のガラス溝を止水するよりも、第１方立部材３１のガラス溝３１２ａと排水構造体８との間の水密性を向上できる。
【００８１】
一対の突起８１２，８１２は、図８に示すように、ブロック本体８１１の先端面部８１ｃ側の先端部において、上面及び下面に設けられる。一対の突起８１２，８１２は、ブロック本体８１１の上下方向（厚さ方向）の中央に対して上下対称の形状に形成される。一対の突起８１２，８１２は、図９に示すように、それぞれ、ブロック本体８１１の先端部の上面及び下面から、上面及び下面から離れる方向に突出し且つガラス溝３１２ａの見込面３０ａ側に突出する。
【００８２】
突起８１２の先端面８１２ａは、排水構造体８が第１方立部材３１のガラス溝３１２ａに収納された場合に、図６及び図９に示すように、ガラス溝３１２ａの見込面３０ａに平行に対向して形成され、見込方向及び上下方向（厚さ方向）に平面状に延びる。一対の突起８１２，８１２の先端面８１２ａは、排水構造体８が第１方立部材３１のガラス溝３１２ａに収納された場合に、第１方立部材３１のガラス溝３１２ａの見込面３０ａに当接又は近接して配置される。これにより、ブロック本体８１１は、水平方向に対して傾いて配置されないように、ガラス溝３１２ａの見込面３０ａに対して位置決めされる。そのため、一対の突起８１２，８１２は、ブロック本体８１１の厚さが薄い場合であっても、ブロック本体８１１が傾かないように位置決めできる。
【００８３】
ブロック本体８１１には、図８（ａ）及び図８（ｂ）に示すように、貫通穴８１３が形成される。貫通穴８１３は、ブロック本体８１１の見込方向の略中央且つ厚さ方向の略中央において、見込方向に長い長穴状に形成され、見付方向に貫通して形成される。貫通穴８１３には、排水構造体８を、第１方立部材３１及び巾木部２２に固定する際に、ビス７３が貫通される。貫通穴８１３が見込方向に長い長穴状に形成されるため、ビス７３で固定する際に、ブロック本体８１１が見込方向にずれて取り付けられても、ビス７が貫通穴８１３を貫通する見込方向の範囲が、長穴の長さの分だけ見込方向に許容される。
【００８４】
発泡材８２、第１水膨潤性止水材８３及び第２水膨潤性止水材８４は、排水ブロック８１と第１方立部材３１のガラス溝３１２ａとの間への水の浸入を抑制できる乾式シール材である。
【００８５】
発泡材８２は、図８（ａ）及び図８（ｂ）に示すように、厚みを有するシート状に形成され、排水ブロック８１の外周面に設けられる。発泡材８２は、独立気泡構造を有する。本実施形態においては、発泡材は、排水ブロック８１の外周面におけるアール形状の部分（側面部８１ｂ、凹部８１ｅ、ブロック曲面８１ｄ、先端面部８１ｃ、ブロック曲面８１ｄ、凹部８１ｅ、側面部８１ｂをこの順に通るブロック本体８１１の外周面）及び基端面部８１ａの見込方向の両端部に設けられている。
【００８６】
発泡材８２は、例えば、軟質のポリ塩化ビニール（ＰＶＣ）を基材の発泡体に、アクリル系粘着剤が塗布を片面に塗布した発泡シール材であり、柔軟性と独立気泡構造とを兼ね備えている。発泡材８２は、独立気泡構造を有するため、水を透過することなく、低圧縮で高いシール効果を有する。また、発泡材８２は、柔軟性を有するため、第１方立部材３１のガラス溝３１２ａの面に追従しやすく吸着しやすい。発泡材８２としては、例えば、基材の密度が０．１ｇ／ｃｍ３、全体の厚みが３．２ｍｍのサンゴバン社製のノルシール（登録商標）などを使用できる。
本実施形態においては、発泡材８２は、排水ブロック８１の外周面に、片面に塗布されたアクリル系粘着剤を介して貼り付けられる。
【００８７】
第１水膨潤性止水材８３は、厚みが薄いシート状に形成され、発泡材８２の外周面に設けられる。本実施形態においては、第１水膨潤性止水材８３は、排水ブロック８１の外周面におけるアール形状の部分（側面部８１ｂ、凹部８１ｅ、ブロック曲面８１ｄ、先端面部８１ｃ、ブロック曲面８１ｄ、凹部８１ｅ、側面部８１ｂをこの順に通るブロック本体８１１に対応する部分の外周面）及び基端面部８１ａの見込方向の両端部に対応して、発泡材８２の外周面に設けられている。本実施形態においては、第１水膨潤性止水材８３は、発泡材８２の外周面に粘着剤を介して貼り付けられる。
【００８８】
第２水膨潤性止水材８４は、厚みが薄いシート状に形成され、排水ブロック８１の上面及び下面に設けられる。本実施形態においては、第２水膨潤性止水材８４は、排水ブロック８１の上面及び下面の形状と同じ形状に形成され、排水ブロック８１の上面及び下面の全域に亘って、粘着剤を介して貼り付けられている。
【００８９】
本実施形態においては、第２水膨潤性止水材８４を排水ブロック８１の上面及び下面の両面に設けることで、上下方向に対称の構成としている。これにより、第２水膨潤性止水材８４に関して、排水ブロック８を、上下のいずれの向きでも使用することが可能である。なお、これに限定されず、第２水膨潤性止水材８４を、排水ブロック８１の上面及び下面の両面に設けずに、例えば、排水ブロック８１の上面のみに設けてもよい。
【００９０】
第１水膨潤性止水材８３及び第２水膨潤性止水材８４は、例えば、ポリオルフィンを基材として、表面に吸収層を有し、表面と反対側の面には、アクリル系の粘着層が形成されている。吸収層は、例えば、高分子吸収体（Ｓｕｐｅｒ  Ａｂｓｏｒｂｅｎｔ  Ｐｏｌｙｍｅｒ  ：ＳＡＰ）を用いて形成される。高分子吸収体は、高吸収性ポリマーとも呼ばれ、第１水膨潤性止水材８３及び第１水膨潤性止水材８３に浸入した水を吸収してゲル状に変化させて膨張させる。これにより、第１水膨潤性止水材８３及び第１水膨潤性止水材８３は、発泡材８２と第１方立部材３１のガラス溝３１２ａとの隙間を塞いで止水して、水漏れや浸水を防ぐことができる。
【００９１】
第１水膨潤性止水材８３及び第２水膨潤性止水材８４として、例えば、全体の厚みを２８０μｍとして、吸収層の厚みが５０μｍ、基材層の厚みが８０μｍ、粘着層の厚みが１５０μｍの層構造を有するものを使用できる。
【００９２】
次に、排水構造体８を第１方立部材３１のガラス溝３１２ａに取り付ける取り付け方法について説明する。
まず、図８（ａ）及び図８（ｂ）に示すように、排水ブロック８１の外周面に発泡材８２を貼り付ける。そして、発泡材８２の外周面に第１水膨潤性止水材８３を貼り付ける。そして、排水ブロック８１の上面に第２水膨潤性止水材８４を貼り付ける。
【００９３】
このように構成された排水構造体８を、図７に示すように、第１方立部材３１のガラス溝３１２ａの側方の位置において、排水ブロック８１の先端側が第１方立部材３１のガラス溝３１２ａに向くように配置する。
【００９４】
次に、排水ブロック８１を、先端側から順に、第１方立部材３１のガラス溝３１２ａに押し込んで圧入する。これにより、排水構造体８における発泡材８２が圧縮された状態で第１方立部材３１のガラス溝３１２ａに挿入される。排水構造体８は、発泡材８２が、柔軟性を有するため、弾性復帰力により第１方立部材３１のガラス溝３１２ａの形状に追従して、発泡材８２の外周面が、第１方立部材３１のガラス溝３１２ａに押圧された状態で圧入される。
【００９５】
ここで、第１方立部材３１のガラス溝３１２ａの内周面の形状は、ガラス溝３１２ａにおける見込方向の中央において見付方向に延びる縦断面である仮想平面Ｍに対して、対称の形状である。また、排水ブロック８１のブロック本体８１１の外周面の形状は、ブロック本体８１１における見込方向の中央において見付方向に延びる縦断面である仮想平面Ｍに対して、対称の形状である。
【００９６】
そのため、排水ブロック８１を第１方立部材３１のガラス溝３１２ａに圧入する際に、排水ブロック８１における見込方向の両側において圧力を均等に加わるように排水ブロック８１を圧入できるため、排水ブロック８１と第１方立部材３１のガラス溝３１２ａとの隙間をより塞ぐことができる。よって、排水ブロック８１と第１方立部材３１のガラス溝３１２ａとの間の水密性をより向上できる。
【００９７】
また、排水ブロック８１の先端側には、一対の突起８１２，８１２が設けられている。そのため、一対の突起８１２，８１２の先端面８１２ａは、第１方立部材３１のガラス溝３１２ａの見込面３０ａに対応して配置され、第１方立部材３１のガラス溝３１２ａの見込面３０ａに当接又は近接して配置される。これにより、ブロック本体８１１が水平方向に対して傾いて配置されないように、ガラス溝３１２ａの見込面３０ａに対して位置決めされる。よって、排水構造体８は、第１方立部材３１のガラス溝３１２ａにおいて、傾かないように安定して配置される。排水ブロック８１と第１方立部材３１のガラス溝３１２ａとの間の水密性をより向上できる。
【００９８】
次に、図６に示すように、排水構造体８及び第１方立部材３１と巾木部２２の側端面との間に止水シート７２を配置した状態で、巾木部２２の側端面を、第１方立部材３１に、取り付ける。ここで、ブロック本体８１１の上面は、図９に示すように、排水構造体８が第１方立部材３１のガラス溝３１２ａに取り付けられた状態において、巾木部２２のガラス溝２２２ａの底面（上方側を向く面）と同一平面上に位置するように配置される。
【００９９】
この状態で、図７に示すように、第１方立部材３１における巾木部２２とは反対側から、第１方立部材３１の貫通穴３１ｂ、排水構造体８、止水シート７２、巾木部２２の順にビス７３を貫通させて、第１方立部材３１、排水構造体８、止水シート７２及び巾木部２２をビス７３で共締めする。これにより、図６に示すように、排水構造体８を、第１方立部材３１のガラス溝３１２ａ内に固定する。本実施形態においては、排水構造体８における発泡材８２及び第１水膨潤性止水材８３において、ビス７３が貫通する箇所には、それぞれ貫通穴を予め形成している。
なお、ビス７３で共締めする前に、発泡材８２や第１水膨潤性止水材８３に貫通穴が形成されていなくてもよい。すなわち、発泡材８２や第１水膨潤性止水材８３に貫通穴が形成されていない状態から、ビス７３を貫通させることで、貫通穴が形成されるように構成してもよい。
【０１００】
このように、排水構造体８を第１方立部材３１のガラス溝３１２ａに圧入して、第１方立部材３１、排水構造体８、止水シート７２及び巾木部２２をビス７３で共締めすることで、排水構造体８を第１方立部材３１のガラス溝３１２ａに強固に取り付けることができる。また、第１水膨潤性止水材８３におけるビス７３により形成された貫通穴とビス７３との間において、第１水膨潤性止水材８３の貫通穴とビス７３との隙間がない状態で貫通されるため、水密性を確保できる。
【０１０１】
次に、第１方立部材３１のガラス溝３１２ａに浸入した水に対して、ガラス溝３１２ａに収納された排水構造体８が水密性を向上させる作用について説明する。
本実施形態においては、図２に示すように、縦枠２３，２４、方立２５のガラス溝２３２ａ、３１２ａ、３２２ａ（図３参照）には、ガラス溝２３２ａ、３１２ａ、３２２ａの上下方向に沿って、複数の排水構造体８が配置されている。そのため、縦枠２３，２４、方立２５のガラス溝２３２ａ、３１２ａ、３２２ａにおいて、水が浸入しても、ガラス溝２３２ａ、３１２ａ、３２２ａの上方から下方に向かうにしたがって排水構造体８に達する水の量は少なくなる。
【０１０２】
本実施形態においては、排水構造体８の作用について、方立２５の第１方立部材３１のガラス溝３１２ａにおける巾木部２２が取り付けられる位置の側方の位置に配置された排水構造体８に、雨水などの水が達した場合について説明する。
【０１０３】
第１方立部材３１のガラス溝３１２ａに浸入した雨水などの水は、例えば、第１方立部材３１のガラス溝３１２ａにおける巾木部２２が取り付けられる位置の側方の位置に配置される排水構造体８に受け止められる。
【０１０４】
排水構造体８において、図９に示すように、排水ブロック８１の上面には、第２水膨潤性止水材８４が設けられている。これにより、排水ブロック８１の上面に設けられる第２水膨潤性止水材８４に達した水は、排水ブロック８１の上面において、第２水膨潤性止水材８４の吸収層に吸収されてゲル状に変化して膨張する。第２水膨潤性止水材８４は、排水ブロック８１の上面においてゲル状に変化して膨張した水を、排水ブロック８１の上面において保持する。これにより、ゲル状に変化して膨張した水は、排水ブロック８１の上面を覆う。
【０１０５】
排水ブロック８１の上面において第２水膨潤性止水材８４により水が膨張して保持された状態で、更に排水構造体８に水が到達して、第２水膨潤性止水材８４で保持できる水の許容量を越えると、第２水膨潤性止水材８４で保持できなくなった水は、第１方立部材３１のガラス溝３１２ａと排水構造体８とが密着しているため、第１方立部材３１のガラス溝３１２ａと排水構造体８との間には流れにくく、水の流路が確保された巾木部２２のガラス溝２２２ａ側に流れる。巾木部２２のガラス溝２２２ａを流れた水は、巾木部２２のガラス溝２２２ａの途中に設けられた排水弁（図示せず）を介して外部に排出される。
【０１０６】
また、排水ブロック８１の外周面には、図６に示すように、発泡材８２が設けられており、発泡材８２の外周面には、第１水膨潤性止水材８３が設けられている。
【０１０７】
発泡材８２は、柔軟性と独立気泡構造とを兼ね備えており、水を透過することなく、柔軟性を有して第１方立部材３１のガラス溝３１２ａの形状に追従して押圧されている。そのため、第１方立部材３１のガラス溝３１２ａと発泡材８２との間に、上下方向に延びるピンホールのような隙間を生じさせ難い。これにより、第１方立部材３１のガラス溝３１２ａと発泡材８２との間に、水が浸入することを低減できる。
【０１０８】
また、発泡材８２の外周面に第１水膨潤性止水材８３を設けている。そのため、第１水膨潤性止水材８３に到達した水は、ゲル状に変化して膨張する。これにより、第１方立部材３１のガラス溝３１２ａと発泡材８２との間に、上下方向に延びるピンホールのような隙間を一層生じさせ難い。これにより、第１方立部材３１のガラス溝３１２ａと発泡材８２との間に、水が浸入することを低減できる。
【０１０９】
第１水膨潤性止水材８３及び第２水膨潤性止水材８４は、水の浸入後に、水の浸入がなくなると、時間経過と共に乾燥して、元の状態に戻る。具体的には、第１水膨潤性止水材８３及び第２水膨潤性止水材８４の吸収層に吸収された水は、吸収層において吸収されてゲル状になった後に、水の浸入がなくなると、徐々に蒸発する。そして、第１水膨潤性止水材８３及び第２水膨潤性止水材８４は、吸収層に吸収された水が、蒸発後に乾燥して、乾燥後には、糊状に固まり、元の状態に戻る。元の状態に戻った第１水膨潤性止水材８３及び第２水膨潤性止水材８４の吸収層は、その後に浸入した水を、前述のように再び吸収して再びゲル状に変化させて膨張させることができる。これにより、第１水膨潤性止水材８３及び第２水膨潤性止水材８４の吸収層は、水の吸収及び乾燥を繰り返して、止水機能を維持できる。
【０１１０】
以上説明したように、本実施形態によれば、以下の効果が奏される。
本実施形態のサッシユニット１は、ガラス溝２２２ａを有する巾木部２２と、巾木部２２のガラス溝２２２ａに連続するガラス溝３１２ａを有する方立２５の第１方立部材３１と、ガラス溝３１２ａの内部に収納される排水ブロック８１と、排水ブロック８１の外周面に設けられる独立気泡構造の発泡材８２と、を備える。
そのため、発泡材８２のような乾式のシール材を用いても、第１方立部材３１のガラス溝３１２ａと発泡材８２との間に、上下方向に延びるピンホールのような隙間を生じさせ難い。これにより、第１方立部材３１のガラス溝３１２ａと排水ブロック８１との間の水密性を向上できる。
【０１１１】
また、本実施形態のサッシユニット１は、発泡材８２の外周面に設けられる第１水膨潤性止水材８３を備える。そのため、第１水膨潤性止水材８３に浸入した水は、第１水膨潤性止水材８３に吸収されて膨張する。これにより、第１方立部材３１のガラス溝３１２ａと発泡材８２との間に、上下方向に延びるピンホールのような隙間を一層生じさせ難い。よって、第１方立部材３１のガラス溝３１２ａと排水ブロック８１との間の水密性をより向上できる。
【０１１２】
また、本実施形態のサッシユニット１においては、第１方立部材３１のガラス溝３１２ａは、内周面における巾木部２２と反対側の形状が、断面視で曲面状に形成される。そのため、第１方立部材３１のガラス溝３１２ａにおける内周面における巾木部２２と反対側の形状が簡単な形状となる。これにより、排水ブロック８１の形状を簡単にできるため、複雑な形状のガラス溝を止水するよりも、第１方立部材３１のガラス溝３１２ａと排水ブロック８１との間の水密性をより向上できる。
【０１１３】
また、本実施形態のサッシユニット１においては、排水ブロック８１の上面に設けられる第２水膨潤性止水材８４を備える。そのため、排水ブロック８１の上面から第２水膨潤性止水材８４に達した水は、第２水膨潤性止水材８４に吸収されて膨張する。これにより、第１方立部材３１のガラス溝３１２ａと排水ブロック８１との間の水密性をより向上できる。
【０１１４】
また、本実施形態のサッシユニット１においては、第１方立部材３１のガラス溝３１２ａにおけるガラス６２ａが収納される位置に着脱可能に設けられる気密材ホルダ６１２ｄを備える。従来、方立の成型の際に、方立とガラス溝に形成される気密材ホルダとは一体的に形成されていた。そのため、従来の方立を用いてガラス溝に排水ブロック８１を収納する場合には、方立のガラス溝に一体的に形成される気密材ホルダを切断して取り除く加工を行った後に、排水ブロック８１をガラス溝３１２ａに収納することが必要となる。これに対して、本発明のように、方立の成型時には気密材ホルダを形成せずに、サッシユニット１の組み立て時に、第１方立部材３１のガラス溝３１２ａにおけるガラス６２ａが収納される位置に気密材ホルダ６１２ｄを貼り付けることができる。これにより、第１方立部材３１のガラス溝３１２ａを加工する必要がなく、排水ブロック８１を収納するための施工性を向上できる。
【０１１５】
また、本実施形態のサッシユニット１においては、方立２５の第１方立部材３１における巾木部２２に取り付けられる部分の巾木部２２の上下方向の範囲内において、排水ブロック８１は、第１方立部材３１のガラス溝３１２ａに沿って２つ配置されている。そのため、第１方立部材３１のガラス溝３１２ａにおいて、排水ブロック８１において仮に止水が不十分であっても、下方に別の排水ブロック８１が設けられているため、上下方向に延びるガラス溝３１２ａにおいて水密性を向上でき、サッシユニット１の全体として、水密性をより向上できる。
また、本実施形態では、最も下方の横材である巾木部２２において、第１方立部材３１のガラス溝３１２ａに沿って２つ配置されている。これにより、床などに近い位置において、より水密性を向上できる。
【０１１６】
また、本実施形態のサッシユニット１においては、排水ブロック８１は、第１方立部材３１のガラス溝３１２ａ側に突出する突起８１２を有する。そのため、第１方立部材３１のガラス溝３１２ａの内部において、排水ブロック８１が傾くことを低減できる。これにより、排水ブロック８１を安定して配置できるので、第１方立部材３１のガラス溝３１２ａと排水ブロック８１との間の水密性をより向上できる。
【０１１７】
また、本実施形態のサッシユニット１においては、排水構造体８を、縦枠２３，２４、方立２５（縦材）のガラス溝における上枠２１（横材）の側方、無目２６（横材）の側方、巾木部２２（横材）の側方に設けた。
ここで、排水構造体８（排水ブロック８１）を巾木部２２の側方に設けたことの効果について説明する。本実施形態においては、巾木部２２は、横材２１，２６，２２のうち、最も下方の位置に配置され、床に最も近い位置に配置される横材である。そのため、巾木部２２よりも上方側に位置する無目２６の側方に排水構造体８が配置されていなくても、巾木部２２の側方に排水構造体８が設けられていれば、床に水を漏水させないことができる。
また、排水構造体８（排水ブロック８１）を無目２６の側方に設けたことの効果について説明する。本実施形態においては、無目２６は、横材２１，２６，２２のうち、上下方向の中段の位置に配置される。そのため、排水構造体８を無目２６の側方に設けることで、無目２６に沿って水を流すことができるという効果に加えて、上下方向の途中の位置に排水構造体８を設けているため、シール材が破損している場合などに、上下方向において、どの箇所のシール材が破損して漏水しているかを把握しやすくなるという効果がある。これにより、排水構造体８を無目２６の側方に設けることで、メンテナンス性を向上できる。なお、巾木部２２の側方にのみ排水構造体８を設けた場合には、最も下方の位置で水を受け止めることになり、漏水している箇所の把握がしにくい。
【０１１８】
以上、本発明の枠ユニットの好ましい一実施形態について説明したが、本発明は、上述の実施形態に制限されるものではなく、適宜変更が可能である。
【０１１９】
前記実施形態では、図３に示すように、気密材６１２ｃ、６２２ｃ、６２３ｃを、気密材ホルダ６１２ｄ、６２２ｄ、６２３ｄを介してガラス溝２３２ａ、３２２ａ、３１２ａに取り付けた例について説明したが、これに限定されない。例えば、図１１に示すように、気密材６２２ｅ、６２３ｅを、気密材ホルダを介さずに、ガラス溝３２２ａ、３１２ａに直接取り付けるように構成してもよい。図１１は、変形形態を説明する図であって、気密材を方立（縦材）のガラス溝に貼り付けた状態を示す断面図である。なお、図１１の説明では、上記実施形態と同様の構成については同じ符号を付してその説明を省略することがある。
【０１２０】
図１１に示すように、気密材６２２ｅ，６２３ｅは、ガラス溝３２２ａ、３１２ａに着脱可能に設けられる。気密材６２２ｅ，６２３ｅは、方立２５のガラス溝３２２ａ、３１２ａにおけるガラス６２ａが収納される位置において、方立２５のガラス溝３２２ａ、３１２ａの屋内側の見付方向に延びる見付面３０ｂにおいて上下方向に沿って貼り付けられる。気密材６２２ｅ，６２３ｅは、ガラス６２ａをガラス溝３２２ａ、３１２ａに組み込む前に、ガラス溝３２２ａ、３１２ａに接着により直接固定される。
そのため、前述した前記実施形態におけるガラス溝に着脱可能に設けられる気密材ホルダ６１２ｄを貼り付ける場合と同様の理由で、方立の成型時には気密材ホルダを形成せずに、サッシユニット１の組み立て時に、方立２５のガラス溝３２２ａ、３１２ａにおけるガラス６２ａが収納される位置に気密材６２２ｅ，６２３ｅを貼り付けることができる。これにより、方立２５のガラス溝３２２ａ、３１２ａを加工する必要がなく、排水ブロック８１を収納するための施工性を向上できる。
【０１２１】
前記実施形態では、第１水膨潤性止水材８３を排水ブロック８１の外周面におけるアール形状の部分に設けたが、これに限定されない。第１水膨潤性止水材８３を、排水ブロック８１の外周面の全域に設けてもよいし、排水ブロック８１の外周面におけるアール形状の部分の一部分に設けてもよい。また、前記実施形態では、第２水膨潤性止水材８４を排水ブロック８１の上面の全域に設けたが、これに限定されず、排水ブロック８１の上面の一部に設けてもよいし、排水ブロック８１の上面に第２水膨潤性止水材８４を全く設けなくてもよい。
【０１２２】
前記実施形態では、排水ブロック８１の外周面に設けた発泡材８２の外周面に第１水膨潤性止水材８３を設けたが、これに限定されず、第１水膨潤性止水材８３を設けなくてもよい。この場合には、発泡材８２の外周面に、第１方立部材３１のガラス溝３１２ａに密着可能な密着層を設けてもよい。密着層は、例えば、発泡材８２の外周面において薄い厚みで形成され、気泡の密度の高い層で形成される。これにより、第１水膨潤性止水材８３を発泡材８２の外周面に設けなくても、発泡材８２とガラス溝３１２ａとが密着して配置され、排水ブロック８１とガラス溝３１２ａとの間の密着性を高めることができる。
【０１２３】
前記実施形態では、発泡材８２と第１水膨潤性止水材８３とを別々に設けて、排水ブロック８１の外周面に発泡材８２を貼り付けた後に、発泡材８２の外周面に第１水膨潤性止水材８３を貼り付けたが、これに限定されない。例えば、発泡材８２の機能を有する部材と第１水膨潤性止水材８３の機能を有する部材とを一体的な部材により構成して、この一体的に構成された部材を、排水ブロック８１の外周面に貼り付けてもよい。
【０１２４】
前記実施形態では、排水ブロック８１を、巾木部２２の上下方向の範囲において、２つ設けたが、これに限定されない。例えば、巾木部２２の上下方向の範囲において、３つ以上設けてもよい。
また、最も下方に設けられた横材である巾木部２２において、上下方向の範囲に、排水ブロック８１を複数設けたが、上方に設けられた横材である上枠２１や上下方向の途中に設けられた無目２６において、上下方向の範囲に、排水ブロック８１を複数設けてもよい。
【０１２５】
前記実施形態では、方立の成型時には気密材ホルダを形成せずに、サッシユニット１の組み立て時に気密材ホルダを貼り付けるように構成したが、これに限定せずに、方立の成型時に気密材ホルダを一体的に形成して、排水ブロック８１を配置する部分を切断して取り除く加工を行った後に、排水ブロック８１を収納してもよい。
【０１２６】
前記実施形態では、ブロック本体８１１の上面を、巾木部２２のガラス溝２２２ａの底面（上方側を向く面）と水平面としたが、これに限定されない。例えば、ブロック本体８１１の上面を、巾木部２２のガラス溝２２２ａの底面（上方側を向く面）側に下る傾斜面としてもよい。
【０１２７】
前記実施形態では、ガラス溝内において、バックアップ材、シール材、止水部材又は気密材を用いてガラス６１ａ，６２ａの端部を保持しているが、この組み合わせには限定されない。ガラス６１ａ，６２ａの端部を保持する場合に、いずれのガラス溝内においても、いずれのバックアップ材、シール材、止水部材又は気密材を、適宜使用可能である。
【０１２８】
前記実施形態では、建具としてのサッシユニット１を、例えば、店舗等の建築物に用いるものとしたが、これに限定されない。一般的な住宅等の建築物に用いるものであってもよい。
【０１２９】
前記実施形態では、ＦＩＸ窓６１，６２を備えるサッシユニット１を例に説明したが、これに限定されない。例えば、障子を備える可動式の窓を備える建具であってもよい。
【符号の説明】
【０１３０】
１  サッシユニット（建具）
２１  上枠（横材）
２２  巾木部（横材）
２３  縦枠（縦材）
２４  縦枠（縦材）
２５  方立（縦材）
２６  無目（横材）
８１  排水ブロック
８２  発泡材
８３  第１水膨潤性止水材
８４  第２水膨潤性止水材
２３２ａ、３１２ａ、３２２ａ  ガラス溝（縦材ガラス溝）
２１２ａ、２２２ａ、２６３ａ  ガラス溝（横材ガラス溝）
６１２ｄ、６２２ｄ、６２３ｄ  気密材ホルダ
６２２ｅ、６２３ｅ  気密材
８１２  突起
【図１】
2018003518.tif 000003
【図２】
2018003518.tif 000004
【図３】
2018003518.tif 000005
【図４】
2018003518.tif 000006
【図５】
2018003518.tif 000007
【図６】
2018003518.tif 000008
【図７】
2018003518.tif 000009
【図８】
2018003518.tif 000010
【図９】
2018003518.tif 000011
【図１０】
2018003518.tif 000012
【図１１】
2018003518.tif 000013